(57)【要約】【課題】本発明は、複数の偏波光の間のスキューを補償することを目的とする。【解決手段】受信装置は、偏波面が異なる複数の偏波光を光ファイバ１０から受信する。受信装置は、各偏波光から得られる同相成分信号および直交成分信号のそれぞれについて符号誤り率を測定する誤り率測定部（２０ＩＸ，２０ＱＸ，２０ＩＹ，２０ＱＹ）と、各偏波光から得られた同相成分信号および直交成分信号のうちの１つの信号である基準信号のタイミングを基準として、各偏波光から得られた同相成分信号および直交成分信号のうちの他の信号のそれぞれの遅延または進みを調整するスキュー補償部（１８ＩＸ，１８ＱＸ，１８ＩＹ，１８ＱＹ）とを備える。スキュー補償部は、当該他の信号のそれぞれに対して測定された符号誤り率に基づいて、当該他の信号のそれぞれの遅延または進みを調整する。【選択図】図１
2019036908.tif 000002
【特許請求の範囲】
【請求項１】
偏波面が異なる複数の偏波光を受信する受信装置に用いられるスキュー補償器において、
各前記偏波光から得られる同相成分信号および直交成分信号のそれぞれについて符号誤り率を測定する誤り率測定部と、
各前記偏波光から得られた同相成分信号および直交成分信号のうちの１つの信号である基準信号のタイミングを基準として、各前記偏波光から得られた同相成分信号および直交成分信号のうちの他の信号のそれぞれの遅延または進みを調整するスキュー補償部と、を備え、
前記スキュー補償部は、前記他の信号のそれぞれに対して測定された符号誤り率に基づいて、前記他の信号のそれぞれの遅延または進みを調整することを特徴とするスキュー補償器。
【請求項２】
請求項１に記載のスキュー補償器において、
前記基準信号は、
各前記偏波光から得られた同相成分信号および直交成分信号のうち符号誤り率が最も小さい信号であることを特徴とするスキュー補償器。
【請求項３】
請求項１または請求項２に記載のスキュー補償器において、
前記スキュー補償部は、
前記他の信号のそれぞれの遅延または進みを所定の刻み幅で変化させながら、前記他の信号のそれぞれの遅延または進みを符号誤り率に基づいて調整する調整処理を、前記他の信号のそれぞれについて１つずつ順に行うことを特徴とするスキュー補償器。
【請求項４】
請求項１から請求項３のいずれか１項に記載のスキュー補償器において、
前記スキュー補償部は、
前記他の信号に対する前記調整処理を繰り返し実行し、
後に実行される前記調整処理における前記刻み幅は、先に実行される前記調整処理における前記刻み幅よりも小さいことを特徴とするスキュー補償器。
【発明の詳細な説明】
【技術分野】
【０００１】
本発明は、スキュー補償器に関し、特に、偏波多重変調方式の受信装置に用いられる機器に関する。
【背景技術】
【０００２】
光によって情報を伝送する光通信システムが広く用いられている。光通信システムは、光ファイバによって接続された光送信装置および光受信装置を備える。光送信装置は、ディジタル信号によって光を変調して光信号を生成し、その光信号を光ファイバに送信する。光受信装置は、光ファイバから受信された光信号に対して復調処理を施してディジタル信号を抽出する。
【０００３】
光通信システムには、偏波多重変調方式を用いたものがある。この方式で伝送される光信号では偏波面が異なる複数の偏波光が重畳されている。各偏波光はディジタル信号によって変調が施されている。変調方式としては、所定のシンボル周期でシンボル符号に位相が対応付けられたＱＰＳＫ（Quadrature Phase Shift Keying）や、所定のシンボル周期でシンボル符号に振幅および位相が対応付けられたＱＡＭ（Quadrature Amplitude Modulation）等の方式が用いられている。ここで、シンボル符号とは各偏波光を変調する所定桁のディジタル符号をいう。
【０００４】
以下の特許文献１には、偏波多重変調方式を用いたデジタル光コヒーレント伝送装置が記載されている。この装置における受信器では、各偏波光についてベクトル軌跡を示すコンスタレーションを取得し、コンスタレーションに基づいて受信信号の誤差が求められる。受信器では、受信信号の誤差に基づいて、受信信号に含まれる同相成分信号（Ｉ信号）と直交成分信号（Ｑ信号）との間のスキューが補償される。ここで、同相成分信号と直交成分信号との間のスキューとは、同相成分信号と直交成分信号との間のタイミングのずれを示す誤差をいう。スキューは、受信器において偏波の分離および直交検波を行うコヒーレントレシーバの性能が不十分であること等によって生じ得る。
【先行技術文献】
【特許文献】
【０００５】
【特許文献１】特開２０１３−２０７６０３号公報
【発明の概要】
【発明が解決しようとする課題】
【０００６】
従来の偏波多重変調方式では、光信号に含まれる２つの偏波光のそれぞれについて個別に同相成分信号と直交成分信号との間のスキューが求められ、２つの偏波光のそれぞれについて個別にスキューが補償される。したがって、一方の偏波光から得られる同相成分信号および直交成分信号と、他方の偏波光から得られる同相成分信号および直交成分信号との間のタイミングのずれは補償されない。そのため、ひと纏まりのディジタル信号を異なる偏波光に分けて伝送する場合には、２つの偏波光から高精度でディジタル信号を復号することは困難である。
【０００７】
本発明は、複数の偏波光の間のスキューを補償することを目的とする。
【課題を解決するための手段】
【０００８】
本発明は、偏波面が異なる複数の偏波光を受信する受信装置に用いられるスキュー補償器において、各前記偏波光から得られる同相成分信号および直交成分信号のそれぞれについて符号誤り率を測定する誤り率測定部と、各前記偏波光から得られた同相成分信号および直交成分信号のうちの１つの信号である基準信号のタイミングを基準として、各前記偏波光から得られた同相成分信号および直交成分信号のうちの他の信号のそれぞれの遅延または進みを調整するスキュー補償部と、を備え、前記スキュー補償部は、前記他の信号のそれぞれに対して測定された符号誤り率に基づいて、前記他の信号のそれぞれの遅延または進みを調整することを特徴とする。
【０００９】
望ましくは、前記基準信号は、各前記偏波光から得られた同相成分信号および直交成分信号のうち符号誤り率が最も小さい信号である。
【００１０】
望ましくは、前記スキュー補償部は、前記他の信号のそれぞれの遅延または進みを所定の刻み幅で変化させながら、前記他の信号のそれぞれの遅延または進みを符号誤り率に基づいて調整する調整処理を、前記他の信号のそれぞれについて１つずつ順に行う。
【００１１】
望ましくは、前記スキュー補償部は、前記他の信号に対する前記調整処理を繰り返し実行し、後に実行される前記調整処理における前記刻み幅は、先に実行される前記調整処理における前記刻み幅よりも小さい。
【発明の効果】
【００１２】
本発明によれば、複数の偏波光の間のスキューを補償することができる。
【図面の簡単な説明】
【００１３】
【図１】本発明の実施形態に係る光受信装置を示す図である。
【図２】スキュー設定処理のフローチャートである。
【発明を実施するための形態】
【００１４】
図１には、本発明の実施形態に係る光受信装置が示されている。この光受信装置は、偏波多重変調方式の光信号を光ファイバ１０から受信し、復号部２６においてディジタル信号を復号する。光受信装置で受信される受信信号は、偏波面が直交する２つの光信号を含む。光ファイバ１０上にｘｙｚ直交座標系を定め、伝搬方向をｚ軸とした場合、受信信号は、ｘｚ平面に平行な偏波面を有するＸ偏波信号、およびｙｚ平面に平行な偏波面を有するＹ偏波信号を含んだものとなる。
【００１５】
受信信号の各偏波信号には、所定のシンボル周期でシンボル符号に位相が対応付けられたＱＰＳＫ（Quadrature Phase Shift Keying）や、所定のシンボル周期でシンボル符号に振幅および位相が対応付けられたＱＡＭ（Quadrature Amplitude Modulation）等の変調が施されている。偏波多重変調方式のうち変調方式をＱＰＳＫとしたものは、特に、偏波多重４値位相変調信号（ＤＰ−ＱＰＳＫ：Dual Polarization Quadrature Phase Shift Keying）と称され、変調方式を１６ＱＡＭとしたものは、特に、偏波多重１６ＱＡＭ変調信号（ＤＰ−１６ＱＡＭ：Dual Polarization 16 Quadrature Amplitude Modulation）と称される。
【００１６】
受信信号は、異なる波長を有する複数の偏波多重変調信号を含んでいてもよい。光受信装置は、受信信号をＸ偏波信号およびＹ偏波信号に分離し、所望波長のローカル光信号を用いて各偏波信号に対して直交検波処理を施し、さらにディジタル復調処理を施して、所望波長の偏波多重変調信号からディジタル信号を復号する。
【００１７】
次に、光受信装置の具体的な構成および処理について説明する。光受信装置は、受信端子１２、コヒーレントレシーバ１４、Ａ／Ｄ変換器１６ＩＸ，１６ＱＸ，１６ＩＹ，１６ＱＹ、スキュー補償部１８ＩＸ，１８ＱＸ，１８ＩＹ，１８ＱＹ、誤り率測定部２０ＩＸ，２０ＱＸ，２０ＩＹ，２０ＱＹ、波長可変光源２２、制御部２４および復号部２６を備えている。
【００１８】
スキュー補償部１８ＩＸ，１８ＱＸ，１８ＩＹ，１８ＱＹ、誤り率測定部２０ＩＸ，２０ＱＸ，２０ＩＹ，２０ＱＹおよび制御部２４は、Ｘ偏波信号から得られる同相成分信号および直交成分信号のそれぞれのスキューを補償し、さらに、Ｙ偏波信号から得られる同相成分信号および直交成分信号のそれぞれのスキューを補償するスキュー補償器を構成する。
【００１９】
スキュー補償部１８ＩＸ，１８ＱＸ，１８ＩＹ，１８ＱＹ、誤り率測定部２０ＩＸ，２０ＱＸ，２０ＩＹ，２０ＱＹ、制御部２４および復号部２６は、プログラムを実行することで各構成要素の機能を実現するプロセッサによって構成されてもよい。また、スキュー補償部１８ＩＸ，１８ＱＸ，１８ＩＹ，１８ＱＹ、誤り率測定部２０ＩＸ，２０ＱＸ，２０ＩＹ，２０ＱＹ、制御部２４および復号部２６は、ディジタル回路によって個別に構成されてもよい。
【００２０】
光受信装置の受信端子１２には光ファイバ１０が接続されている。光ファイバ１０から受信端子１２に入力された光信号は、コヒーレントレシーバ１４に入力される。
【００２１】
波長可変光源２２はローカル光信号をコヒーレントレシーバ１４に出力する。波長可変光源２２が出力するローカル光信号の波長は可変であり、波長可変光源２２は、制御部２４の制御に応じた波長のローカル光信号を出力する。すなわち、制御部２４は、波長可変光源２２を制御して、受信信号に含まれる複数の偏波多重変調信号のうちディジタル信号を抽出する信号の波長に、ローカル光信号の波長を設定する。
【００２２】
コヒーレントレシーバ１４は、受信信号をＸ偏波信号およびＹ偏波信号に分離する。コヒーレントレシーバ１４は、ローカル光信号と同一波長のＸ偏波信号に対して直交検波処理を施し、Ｘ偏波信号の同相成分信号ＩＸおよび直交成分信号ＱＸを出力する。Ｘ偏波信号の同相成分信号ＩＸおよび直交成分信号ＱＸは、それぞれ、Ａ／Ｄ変換器１６ＩＸおよびＡ／Ｄ変換器１６ＱＸに入力される。また、コヒーレントレシーバ１４は、ローカル光信号と同一波長のＹ偏波信号に対して直交検波処理を施し、Ｙ偏波信号の同相成分信号ＩＹおよび直交成分信号ＱＹを出力する。Ｙ偏波信号の同相成分信号ＩＹおよび直交成分信号ＱＹは、それぞれ、Ａ／Ｄ変換器１６ＩＹおよびＡ／Ｄ変換器１６ＱＹに入力される。コヒーレントレシーバ１４の性能によっては、Ｘ偏波信号の同相成分信号ＩＸおよび直交成分信号ＱＸ、ならびに、Ｙ偏波信号の同相成分信号ＩＹおよび直交成分信号ＱＹにスキューが生じ得る。また、コヒーレントレシーバ１４の他、光信号の送信元において既にスキューが生じている場合もある。
【００２３】
Ａ／Ｄ変換器１６ＩＸおよび１６ＱＸは、それぞれ、Ｘ偏波信号の同相成分信号ＩＸおよび直交成分信号ＱＸをディジタル・サンプリング信号に変換し、それぞれ、スキュー補償部１８ＩＸおよび１８ＱＸに出力する。Ａ／Ｄ変換器１６ＩＹおよび１６ＱＹは、それぞれ、Ｙ偏波信号の同相成分信号ＩＹおよび直交成分信号ＱＹをディジタル・サンプリング信号に変換し、それぞれ、スキュー補償部１８ＩＹおよび１８ＱＹに出力する。ディジタル・サンプリング信号は、アナログ信号をサンプリング時間間隔でサンプリングし、各サンプル値をディジタル値で表したものである。
【００２４】
各スキュー補償部には、後述のスキュー設定処理によって遅延時間が設定されている。各スキュー補償部は、スキュー設定処理によって設定された遅延時間だけ信号を遅らせて出力する。すなわち、スキュー補償部１８ＩＸおよび１８ＱＸは、それぞれ、Ｘ偏波信号の同相成分信号ＩＸおよび直交成分信号ＱＸを予め設定された遅延時間だけ遅らせて、誤り率測定部２０ＩＸおよび２０ＱＸに出力する。スキュー補償部１８ＩＹおよび１８ＱＹは、それぞれ、Ｙ偏波信号の同相成分信号ＩＹおよび直交成分信号ＱＹを予め設定された遅延時間だけ遅らせて、誤り率測定部２０ＩＹおよび２０ＱＹに出力する。
【００２５】
また、スキュー補償部１８ＩＸおよび１８ＱＸは、それぞれ、Ｘ偏波信号の同相成分信号ＩＸおよび直交成分信号ＱＸを予め設定された遅延時間だけ遅らせて、復号部２６にも出力する。同様に、スキュー補償部１８ＩＹおよび１８ＱＹは、それぞれ、Ｙ偏波信号の同相成分信号ＩＹおよび直交成分信号ＱＹを予め設定された遅延時間だけ遅らせて、復号部２６にも出力する。
【００２６】
復号部２６は、Ｘ偏波信号の同相成分信号ＩＸおよび直交成分信号ＱＸ、ならびに、Ｙ偏波信号の同相成分信号ＩＹおよび直交成分信号ＱＹに対してディジタル復調処理を施し、ディジタル信号を復号する。ディジタル復調処理に際して復号部２６は、Ｘ偏波信号およびＹ偏波信号のそれぞれの同相成分信号および直交成分信号に基づいて、シンボル同期のタイミングを表すシンボル同期信号を生成する。復号部２６は、シンボル同期信号を誤り率測定部２０ＩＸ，２０ＱＸ，２０ＩＹおよび２０ＱＹに出力する。
【００２７】
各誤り率測定部は、シンボル同期信号が示すタイミングに従い、各スキュー設定部から出力された信号について符号誤り率を測定し、制御部２４に出力する。符号誤り率は、一定時間内に符号が誤っている数を表す。符号誤り率には、例えば、１秒当たりのビット誤り数を表すＢＥＲ（Bit Error Rate）や、１フレーム当たりのビット誤り数を表すＦＥＲ（Frame Error Rate）がある。すなわち、誤り率測定部２０ＩＸおよび２０ＱＸは、それぞれ、Ｘ偏波信号の同相成分信号ＩＸおよび直交成分信号ＱＸの符号誤り率ＥＩＸおよびＥＱＸをそれぞれ測定し、制御部２４に出力する。誤り率測定部２０ＩＹおよび２０ＱＹは、それぞれ、Ｙ偏波信号の同相成分信号ＩＸおよび直交成分信号ＱＸについての符号誤り率ＥＩＹおよびＥＱＹをそれぞれ測定し、制御部２４に出力する。
【００２８】
次に、スキュー設定処理について説明する。図２にはスキュー設定処理において制御部２４が実行する処理のフローチャートが示されている。この処理は、光受信装置が起動されたときに行われてもよいし、光ファイバ１０から受信した光信号からディジタル信号を復号する処理と共に行われてもよい。以下の説明では、Ａ／Ｄ変換器から誤り率測定部に至るまでの信号経路の単位をレーンという。図１に示されている例では、光受信装置は、Ｘ偏波について２レーンの信号経路を備え、Ｙ偏波について２レーンの信号経路を備えており、合計４レーンの信号経路を備えている。
【００２９】
スキュー設定処理の際には、この処理に適したディジタル信号によって、受信端子１２に入力される光信号に変調が施されていてもよい。制御部２４は、符号誤り率ＥＩＸ，ＥＱＸ，ＥＩＹおよびＥＱＹのうち最も小さいものを特定することで、符号誤り率が最も小さいレーンを特定する（Ｓ１０１）。符号誤り率が最も小さいレーンが２つ以上ある場合には、制御部２４は、例えば、これらのレーンから無作為に選択した１つを符号誤り率が最も小さいレーンとする。制御部２４は、符号誤り率が最も小さいレーンにおけるスキュー補償部である基準スキュー補償部に対し、基準遅延時間ｄを設定する（Ｓ１０２）。これによって、基準スキュー補償部は、自らに入力された信号を基準遅延時間だけ遅延させた基準信号を出力する。
【００３０】
制御部２４は、基準スキュー補償部のレーンを除く他の３つのレーンのうちの１つにおけるスキュー補償部について最小点探索処理を実行する（Ｓ１０３）。
【００３１】
ここで、最小点探索処理は、調整対象スキュー補償部（基準スキュー補償部でないスキュー補償部）の遅延時間を所定の刻み幅で変化させながら、その調整対象スキュー補償部を含むレーンの符号誤り率を読み込むことで、符号誤り率が最小となる遅延時間を求め、その遅延時間を調整対象スキュー補償部に設定する処理である。すなわち、最小点探索処理は、基準スキュー補償部から出力される基準信号のタイミングを基準として、符号誤り率に基づいて、調整対象スキュー補償部から出力される信号の遅延または進みを調整する調整処理である。調整対象スキュー補償部における遅延時間は、例えば、基準遅延時間ｄからシンボル周期δを減算した遅延時間ｄ−δから、基準遅延時間ｄにシンボル周期δを加算した遅延時間ｄ＋δまでの変化範囲で、シンボル周期δの１／１０である０．１δの刻み幅で変化させる。なお、遅延時間ｄ−δから遅延時間ｄ＋δまでの変化範囲で、符号誤り率が最小となる遅延時間が２つあるときは、その２つの遅延時間の平均値を調整対象スキュー補償部に設定してもよい。
【００３２】
制御部２４は、他の２つの調整対象スキュー補償部についても、上記の最小点探索処理を順に実行する（Ｓ１０３）。
【００３３】
制御部２４は、符号誤り率ＥＩＸ，ＥＱＸ，ＥＩＹおよびＥＱＹのうち最も大きい最大誤り率が所定の閾値Ｔｅ未満であるか否かを判定する（Ｓ１０４）。制御部２４は、最大誤り率が閾値Ｔｅ未満であるときは処理を終了する。一方、最大誤り率が閾値Ｔｅ以上であるときは、制御部２４は、３つの調整対象スキュー補償部について１つずつ順に以下に説明する微小・最小点探索処理を実行する（Ｓ１０５）。
【００３４】
微小・最小点探索処理は、その開始時に設定されている遅延時間を中心に、調整対象スキュー補償部の遅延時間を変化させながら、その調整対象スキュー補償部を含むレーンの符号誤り率を読み込むことで、符号誤り率が最小となる遅延時間を求め、その遅延時間を調整対象スキュー補償部に設定する処理である。すなわち、微小・最小点探索処理は、符号誤り率に基づいて、調整対象スキュー補償部から出力される信号の遅延または進みを調整する調整処理である。
【００３５】
微小・最小点探索処理は、最大誤り率が所定の閾値Ｔｅ未満となるまで繰り返し実行される。後に実行される微小・最小点探索処理における遅延時間の変化範囲は、１つ前に実行された微小・最小点探索処理における遅延時間の変化範囲よりも小さい。例えば、後に実行される微小・最小点探索処理における遅延時間の変化範囲は、１つ前に実行された微小・最小点探索処理における遅延時間の変化範囲の１／１０とする。
【００３６】
また、後に実行される微小・最小点探索処理における遅延時間の刻み幅は、１つ前に実行された微小・最小点探索処理における遅延時間の刻み幅よりも小さい。例えば、後に実行される微小・最小点探索処理における遅延時間の刻み幅は、１つ前に実行された微小・最小点探索処理における遅延時間の刻み幅の１／１０とする。
【００３７】
最初の微小・最小点探索処理では、その開始時において各調整対象スキュー補償部には、ステップＳ１０３の最小点探索処理で設定された遅延時間が設定されている。
【００３８】
最初の微小・最小点探索処理では、調整対象スキュー補償部における遅延時間は、例えば、ステップＳ１０３で設定された遅延時間ｄ０から０．１δを減算した遅延時間ｄ−０．１δから、遅延時間ｄ０に０．１δを加算した遅延時間ｄ０＋０．１δまでの変化範囲で０．０１δの刻み幅で変化させる。なお、遅延時間ｄ０−０．１δから遅延時間ｄ０＋０．１δまでの変化範囲で、符号誤り率が最小となる遅延時間が２つあるときは、その２つの遅延時間の平均値を調整対象スキュー補償部に設定してもよい。
【００３９】
制御部２４は、符号誤り率ＥＩＸ，ＥＱＸ，ＥＩＹおよびＥＱＹのうち最も大きい最大誤り率が所定の閾値Ｔｅ未満であるか否かを判定する（Ｓ１０６）。制御部２４は、最大誤り率が閾値Ｔｅ未満であるときは処理を終了する。一方、最大誤り率が閾値Ｔｅ以上であるときは、制御部２４は、微小・最小点探索処理における変化範囲および刻み幅を先に実行された微小・最小点探索処理における値よりも小さくし（Ｓ１０７）、各調整対象スキュー設定部について微小・最小点探索処理（Ｓ１０５）を再び実行する。
【００４０】
スキュー設定処理によれば、最大誤り率が所定の閾値Ｔｅ未満となるよう、各調整対象スキュー補償部における遅延時間が設定される。調整対象スキュー補償部における遅延時間が基準スキュー補償部における遅延時間よりも短ければ、調整対象スキュー補償部を含むレーンの信号は、基準スキュー補償部を含むレーン信号に対し進む。一方、調整対象スキュー補償部における遅延時間が基準スキュー補償部における遅延時間よりも長ければ、調整対象スキュー補償部を含むレーンの信号は、基準スキュー補償部を含むレーン信号に対し遅れる。すなわち、スキュー設定部によれば基準スキュー補償部から出力された基準信号のタイミングを基準として、他の調整対象スキュー補償部から出力される信号のそれぞれの遅延または進みが調整される。
【００４１】
なお、ステップ１０５を複数回に亘って実行しなくても最大誤り率が閾値Ｔｅ未満となる可能性が十分高い場合には、制御部２４は、ステップＳ１０６およびＳ１０７は実行しなくてもよい。
【００４２】
従来の偏波多重変調方式では、光信号に含まれる２つの偏波光のそれぞれについて個別に同相成分信号と直交成分信号との間のスキューが求められ、２つの偏波光のそれぞれについて個別にスキューが補償される。したがって、一方の偏波光から得られる同相成分信号および直交成分信号と、他方の偏波光から得られる同相成分信号および直交成分信号との間のタイミングのずれは補償されない。そのため、ひと纏まりのディジタル信号を異なる偏波光に分けて伝送する場合には、２つの偏波光から高精度でディジタル信号を復号することは困難である。
【００４３】
本実施形態に係る受光装置によれば、最大誤り率が所定の閾値Ｔｅ未満となるように、基準となるレーンを除く３レーンについて、スキュー補償部における遅延時間が順に設定される。したがって、Ｘ偏波信号の同相成分信号ＩＸ、Ｘ偏波信号の直交成分信号ＱＸ、Ｙ偏波信号の同相成分信号ＩＹ、およびＹ偏波信号の直交成分信号ＱＹの相互間の影響が考慮された上で、各レーンにおけるスキューが補償され、２つの偏波光から高精度でディジタル信号が復号される。
【符号の説明】
【００４４】
１０  光ファイバ、１２  受信端子、１４  コヒーレントレシーバ、１６ＩＸ，１６ＱＸ，１６ＩＹ，１６ＱＹ  Ａ／Ｄ変換器、１８ＩＸ，１８ＱＸ，１８ＩＹ，１８ＱＹ  スキュー補償部、２０ＩＸ，２０ＱＸ，２０ＩＹ，２０ＱＹ  誤り率測定部、２２  波長可変光源、２４  制御部、２６  復号部。
【図１】
2019036908.tif 000003
【図２】
2019036908.tif 000004